(57)【要約】      （修正有）【課題】洗濯洗剤での布地洗浄に続く、すすぎサイクル中に柔軟化活性物質の布地への付着を向上させる洗浄プロセスを提供する。【解決手段】柔軟化活性物質の布地への付着を向上させるための、カチオン性多糖ポリマーとアニオン性非石鹸界面活性剤とを組み合わせて使用する。洗浄液中で布地を処理するために使用されるカチオン性多糖ポリマーとアニオン性非石鹸界面活性剤との組み合わせが、後続のすすぎ液における布地の処理中に使用される布地柔軟化活性物質の布地への付着を向上させる。【選択図】図１
2019035074.tif 000002
【特許請求の範囲】
【請求項１】
第１の布地処理液におけるカチオン性多糖ポリマーとアニオン性非石鹸界面活性剤との組み合わせの使用であって、
別の後続の第２の布地処理液中で柔軟化活性物質が布地と接触する際の、前記柔軟化活性物質の前記布地への付着を向上させるためのものであり、
前記布地を前記第１の布地処理液と最初に接触させた、使用。
【請求項２】
前記カチオン性多糖ポリマーが、カチオン変性ヒドロキシエチルセルロース、カチオン変性ヒドロキシプロピルセルロース、カチオン及び疎水変性ヒドロキシエチルセルロース、カチオン及び疎水変性ヒドロキシプロピルセルロース、又はこれらの混合物、より好ましくはカチオン変性ヒドロキシエチルセルロース、カチオン及び疎水変性ヒドロキシエチルセルロース、又はこれらの混合物から選択される、請求項１に記載の使用。
【請求項３】
前記柔軟化活性物質が、第四級アンモニウム化合物、アミン、脂肪酸エステル、ショ糖エステル、シリコーン、分散性ポリオレフィン、多糖、脂肪酸、柔軟化油、ポリマーラテックス、柔軟化クレイ、及びこれらの組み合わせからなる群から選択され、好ましくは前記布地柔軟化活性物質が、第四級アンモニウム化合物及びこれらの混合物、より好ましくはエステルクァットからなる群から選択され、最も好ましくは前記布地柔軟化活性物質が、ジエステルクァット、より好ましくはジエチルエステルジメチルアンモニウムクロリドからなる群から選択される、請求項１又は２に記載の使用。
【請求項４】
前記第１の布地処理液が、０．１ｐｐｍ〜１００ｐｐｍ、好ましくは０．５ｐｐｍ〜５０ｐｐｍ、より好ましくは１ｐｐｍ〜２０ｐｐｍの前記カチオン性多糖ポリマーを含む、請求項１〜３のいずれか一項に記載の使用。
【請求項５】
前記第１の布地処理液が、１０ｐｐｍ〜１０００ｐｐｍ、好ましくは５０ｐｐｍ〜９００ｐｐｍ、より好ましくは１００ｐｐｍ〜８００ｐｐｍの前記非石鹸アニオン性界面活性剤を含み、好ましくは前記非石鹸アニオン性界面活性剤が、直鎖アルキルベンゼンスルホネート、アルコキシル化アルキルサルフェート、又はこれらの混合物、より好ましくはこれらの混合物を含み、直鎖アルキルベンゼンスルホネートとアルコキシル化アルキルサルフェートの比が、好ましくは直鎖アルキルベンゼンスルホネートとエトキシル化アルキルサルフェートの比が、１：２〜２０：１、好ましくは１．１：１〜１５：１、より好ましくは１．２：１〜１０：１、更により好ましくは１．３：１〜５：１、最も好ましくは１．４：１〜３：１である、請求項１〜４のいずれか一項に記載の使用。
【請求項６】
前記第１の布地処理液が、０ｐｐｍ〜２００ｐｐｍ、好ましくは５ｐｐｍ〜１５０ｐｐｍ、より好ましくは１０ｐｐｍ〜１００ｐｐｍの脂肪アルコールエトキシレート非イオン性界面活性剤を含む、請求項１〜５のいずれか一項に記載の使用。
【請求項７】
前記第２の布地処理液が、１ｐｐｍ〜５００ｐｐｍ、好ましくは１０ｐｐｍ〜４００ｐｐｍ、最も好ましくは２０ｐｐｍ〜３００ｐｐｍの前記柔軟化活性物質を含む、請求項１〜６のいずれか一項に記載の使用。
【請求項８】
前記第１の布地処理液が、３００ｐｐｍ未満、好ましくは５ｐｐｍ〜２５０ｐｐｍ、より好ましくは１０ｐｐｍ〜２００ｐｐｍの脂肪酸、中和された脂肪酸石鹸、又はこれらの混合物を含む、請求項１〜７のいずれか一項に記載の使用。
【請求項９】
前記第１の布地処理液、前記第２の布地処理液、又は両方が、１ｋｇ〜２０ｋｇ、好ましくは３ｋｇ〜１５ｋｇ、最も好ましくは５ｋｇ〜１０ｋｇの前記布地を含む、請求項１〜８のいずれか一項に記載の方法。
【請求項１０】
前記布地が、天然素材、合成素材、又はこれらの混合物を含み、好ましくは、前記布地が、綿、ポリエステル、綿／ポリエステル混紡、又はこれらの混合物、好ましくは綿から選択される、請求項１〜９のいずれか一項に記載の使用。
【請求項１１】
前記第１の布地処理液、前記第２の布地処理液、又は両方が、自動洗濯機中に存在する、請求項１〜１０のいずれか一項に記載の使用。
【請求項１２】
前記布地が、前記第１の布地処理液から前記第２の布地処理液に直接移され、好ましくは前記第１の布地処理液及び前記第２の布地処理液が、自動洗濯機の同じドラム内で別々に形成される、請求項１〜１１のいずれか一項に記載の使用。
【請求項１３】
前記カチオン性多糖ポリマー及び前記アニオン性非石鹸界面活性剤が、前記第１の布地処理液を生成するために水中で３００〜３０００倍に希釈される洗濯洗剤組成物中に存在する、請求項１〜１２のいずれか一項に記載の使用。
【請求項１４】
前記洗濯洗剤組成物が、水溶性単位用量物品中に存在し、前記水溶性単位用量物品が、水溶性フィルムを含む、請求項１３に記載の使用。
【請求項１５】
前記柔軟化活性物質が、前記第２の布地処理液を生成するために水中で３００〜３０００倍に希釈される布地柔軟化組成物中に存在する、請求項１〜１４のいずれか一項に記載の使用。
【発明の詳細な説明】
【技術分野】
【０００１】
本発明は、カチオン性多糖及びアニオン性非石鹸界面活性剤の使用、並びに上記カチオン性多糖及びアニオン性非石鹸界面活性剤を含む洗濯洗剤組成物の使用に関する。
【背景技術】
【０００２】
洗濯物を洗浄する作業の間、消費者は、布地をきれいにすること、及び布地に布地柔軟化効果を付与することの両方を好む。このことは、洗濯洗剤を使用して主洗浄工程において布地を洗浄し、次いで、後続のすすぎ工程中に布地柔軟化活性物質を布地に添加することによって、達成される。
【０００３】
しかしながら、柔軟化活性物質により得られる柔軟化効果を向上させることが望まれている。好ましくは、環境的な持続可能性の観点から、布地に対する全体的な柔軟化効果に影響を及ぼすことなく、使用される柔軟化活性物質の量を全体的に減少させることもまた望まれている。より具体的には、すすぎ液中に存在する柔軟化活性物質の一部は、洗浄作業中に布地に付着せず、すすぎ水と一緒に排出されると考えられる。このことは、布地に対する柔軟性性能を損なわせ、環境的な持続可能性に対しても不利な影響を及ぼす。
【発明の概要】
【発明が解決しようとする課題】
【０００４】
したがって、すすぎサイクル中に柔軟化活性物質の布地への付着を向上させる洗浄プロセスがやはり必要とされている。
【０００５】
驚くべきことに、第１の洗浄液中で布地を処理するために使用されるカチオン性多糖ポリマーとアニオン性非石鹸界面活性剤との組み合わせが、後続のすすぎ液における布地の処理中に布地柔軟化活性物質の布地への付着を向上させることが発見された。
【０００６】
カチオン性多糖ポリマーとアニオン性非石鹸界面活性剤とのこの相乗的な利点により、所望の布地柔軟化効果を達成するために使用される布地柔軟化活性物質のレベルを低下させることが可能となった。
【課題を解決するための手段】
【０００７】
本発明の第１の態様は、第１の布地処理液におけるカチオン性多糖ポリマーとアニオン性非石鹸界面活性剤との組み合わせの使用であって、
別の後続の第２の布地処理液中で柔軟化活性物質が布地と接触する際の、柔軟化活性物質の上記布地への付着を向上させるためのものであり、
上記布地を上記第１の布地処理液と最初に接触させた、使用である。
【図面の簡単な説明】
【０００８】
【図１】本発明による水溶性単位用量物品を示す図である。
【発明を実施するための形態】
【０００９】
使用
本発明は、第１の布地処理液におけるカチオン性多糖ポリマーとアニオン性非石鹸界面活性剤との組み合わせの使用であって、別の後続の第２の布地処理液中で柔軟化活性物質が布地と接触する際の、柔軟化活性物質の上記布地への付着を向上させるためのものであり、上記布地を上記第１の布地処理液と最初に接触させた、使用に関する。
【００１０】
好ましくは、第１の布地処理液は、０．１ｐｐｍ〜１００ｐｐｍ、好ましくは０．５ｐｐｍ〜５０ｐｐｍ、より好ましくは１ｐｐｍ〜２０ｐｐｍのカチオン性多糖ポリマーを含む。
【００１１】
好ましくは、第１の布地処理液は、１０ｐｐｍ〜１０００ｐｐｍ、好ましくは５０ｐｐｍ〜９００ｐｐｍ、より好ましくは１００ｐｐｍ〜８００ｐｐｍの非石鹸アニオン性界面活性剤を含む。
【００１２】
カチオン性多糖ポリマー及びアニオン性非石鹸界面活性剤を下記により詳細に記載する。
【００１３】
当業者であれば、第１の布地処理液の作製方法が分かるであろう。理論に拘束されることを望むものではないが、第１の布地用洗浄液は水を含み、カチオン性多糖ポリマー及びアニオン性非石鹸界面活性剤はその水に含まれている。カチオン性多糖は、水に完全に溶解していてもよく、水に部分的に溶解していてもよく、水に分散していてもよく、又はこれらの混合物であってもよく、好ましくは完全に溶解している。アニオン性非石鹸界面活性剤は、水に完全に溶解していてもよく、水に部分的に溶解していてもよく、水に分散していてもよく、又はこれらの混合物であってもよく、好ましくは完全に溶解している。
【００１４】
第１の布地処理液は、自動洗濯機のドラム内で自動的に生成することができ、又は手で行う洗浄作業において作製することができる。
【００１５】
好ましくは、第１の布地処理液は、０ｐｐｍ〜２００ｐｐｍ、好ましくは５ｐｐｍ〜１５０ｐｐｍ、より好ましくは１０ｐｐｍ〜１００ｐｐｍの脂肪アルコールエトキシレート非イオン性界面活性剤を含む。
【００１６】
好ましくは、第１の布地処理液は、３００ｐｐｍ未満、好ましくは５ｐｐｍ〜２５０ｐｐｍ、より好ましくは１０ｐｐｍ〜２００ｐｐｍの脂肪酸、中和された脂肪酸石鹸、又はこれらの混合物を含む。
【００１７】
第１の布地処理液は、１Ｌ〜６４Ｌ、好ましくは２Ｌ〜３２Ｌ、より好ましくは３Ｌ〜２０Ｌの水を含み得る。
【００１８】
布地は、上記第１の布地処理液と最初に接触する。自動洗濯機のドラム内で作製する場合、慣例的には、洗浄する布地をドラムに加え、洗濯機の扉を閉じる。カチオン性多糖ポリマー及びアニオン性非石鹸界面活性剤は、布地とともにドラムに加えることができ、又は洗濯機の引き出し式投入口（dispensing drawer）に加えてもよい。
【００１９】
洗濯する布地は、任意の好適な布地であってよい。布地は、本発明者らによれば好ましくは、天然又は合成繊維の網状組織を含む織物又は布を意味する。当業者であれば、好適な布地を認識するであろう。布地は、綿、ポリエステル、綿／ポリエステル混紡、又はこれらの混合物、好ましくは綿から選択され得る。布地は、除去すべき染み、汚れ、又はこれらの混合物を含み得る。当業者であれば、好適な除去すべき染み又は汚れを認識するであろう。
【００２０】
第１の布地処理液におけるカチオン性多糖ポリマーとアニオン性非石鹸界面活性剤との組み合わせの使用は、別の後続の第２の布地処理液中で柔軟化活性物質が布地と接触する際の、柔軟化活性物質の上記布地への付着を向上させるためのものである。
【００２１】
第２の布地処理液は、好ましくは、１ｐｐｍ〜５００ｐｐｍ、好ましくは１０ｐｐｍ〜４００ｐｐｍ、最も好ましくは２０ｐｐｍ〜３００ｐｐｍの柔軟化活性物質を含む。
【００２２】
第２の布地処理液は、１Ｌ〜６４Ｌ、好ましくは２Ｌ〜３２Ｌ、より好ましくは３Ｌ〜２０Ｌの水を含み得る。
【００２３】
第１及び第２の布地処理液は、好ましくは０ｇ／Ｌ〜０．６８ｇ／Ｌ（０ｇｐｇ〜４０ｇｐｇ）の間の様々な任意の硬度の水を含み得る。より低い硬度の水は軟水と呼ばれ、より高い硬度の水は硬水と呼ばれる。
【００２４】
当業者であれば、第２の布地処理液の作製方法が分かるであろう。理論に拘束されることを望むものではないが、第２の布地洗浄液は、水及びその水に含まれる柔軟化活性物質を含む。柔軟化活性物質は、水に完全に溶解していてもよく、水に部分的に溶解していてもよく、水に分散していてもよく、又はこれらの混合物であってもよい。
【００２５】
第２の布地処理液は、自動洗濯機のドラム内で自動的に生成することができ、又は手で行う洗浄作業において作製することができる。
【００２６】
好ましくは、第１の布地処理液、第２の布地処理液、又は両方は、１ｋｇ〜２０ｋｇ、好ましくは３ｋｇ〜１５ｋｇ、最も好ましくは５ｋｇ〜１０ｋｇの布地を含む。
【００２７】
好ましくは、第１の布地処理液、第２の布地処理液、又は両方は、自動洗濯機中に存在する。
【００２８】
好ましくは、第１の布地処理液は、５℃〜９０℃、好ましくは１０℃〜６０℃、より好ましくは１２℃〜４５℃、最も好ましくは１５℃〜４０℃の温度である。好ましくは、第１の布地処理工程は、完了するのに５分〜５０分、より好ましくは５分〜４０分、より好ましくは５分〜３０分、更により好ましくは５分〜２０分、最も好ましくは６分〜１８分かかる。
【００２９】
好ましくは、第２の布地処理液は、５℃〜３０℃、好ましくは５℃〜２５℃、より好ましくは５℃〜２０℃、最も好ましくは５℃〜１５℃の温度である。好ましくは、第２の布地処理工程は、完了するのに１分〜３０分、好ましくは２分〜２５分、より好ましくは３分〜２０分、最も好ましくは５分〜１５分かかる。
【００３０】
好ましくは、布地は、第１の布地処理液から第２の布地処理液に直接移され、好ましくは第１の布地処理液及び第２の布地処理液は、自動洗濯機の同じドラム内で別々に形成される。
【００３１】
理論に拘束されることを望むものではないが、布地を移すことは、第１の処理液から布地を取り出すこと、又は第１の処理液を布地から排出することを伴い得る。自動洗濯機の作業では、第１の処理液を布地から排出することが好ましい。疑義を避けるために、布地処理液の一部は、布地と第１の処理液とを分離した後に布地にしみ込んだままであってもよく、すなわち、布地は濡れたままであってもよい。本発明に関して、布地が第１の処理液の大部分から分離されたら、又は第１の処理液の大部分が排出されたら、いくらかの残留している第１の処理液が布地にしみ込んだままである可能性があっても、布地と第１の布地処理液は互いに分離されているとみなされる。
【００３２】
自動洗濯機のドラム内で作製する場合、慣例的には、第１の処理液の排出後、布地は洗濯機のドラム内に残っている。次に、洗濯機は、布地を含む第２の処理液を自動的に生成する。好ましくは、第２の処理液を生成する前に、洗濯機のドラムから布地は取り出さない。好ましくは、第１の処理液が排出されたら、洗濯機は、第１の処理液の除去から３０分以内、好ましくは２０分以内、より好ましくは１０分以内、最も好ましくは５分以内に第２の処理液を生成する。
【００３３】
好ましくは、カチオン性多糖ポリマー及びアニオン性非石鹸界面活性剤は、第１の布地処理液を生成するために水中で３００〜３０００倍に希釈される洗濯洗剤組成物中に存在する。
【００３４】
洗濯洗剤組成物は、好ましくは、他の一般的な洗濯洗剤成分を含む。洗濯洗剤組成物は任意の好適な形態であってよい。洗濯洗剤組成物は、粉末、液体、又はこれらの混合物であってもよい。
【００３５】
固形洗濯洗剤組成物は、固体粒子を含んでもよく、又は単一の均質な固体であってもよい。好ましくは、固形洗濯洗剤組成物は粒子を含む。これは、固形洗濯洗剤組成物が、この固体が単一の均質な固体であることとは対称的に、個々の固体粒子を含むことを意味する。粒子は、自由流動性であってもよく、又は圧縮されていてもよく、好ましくは自由流動性である。
【００３６】
「液体洗濯洗剤組成物」という用語は、布地を濡らし処理することが可能な液体を含む任意の洗濯洗剤組成物を指し、液体、ゲル、ペースト、分散液などが挙げられるが、これらに限定されない。液体組成物は、固体又は気体を適宜分割された形態で含み得るが、液体組成物としては、粉末、タブレット又は顆粒などの、全体的に流動性ではない形態は除外する。
【００３７】
洗濯洗剤組成物は、水溶性単位用量物品中に存在していてもよく、水溶性単位用量物品は、水溶性フィルムを含む。
【００３８】
水溶性単位用量物品は、水溶性フィルム及び洗濯洗剤組成物を含む。洗濯洗剤組成物及び水溶性フィルムを、以下により詳細に記載する。
【００３９】
水溶性単位用量物品は、単位用量物品が水溶性フィルムに囲まれた少なくとも１つの内部区画を含むような形状の水溶性フィルムを含み、洗濯洗剤組成物は上記区画内に存在する。単位用量物品は、内部区画を画定するように互いにシールされた第１の水溶性フィルム及び第２の水溶性フィルムを含み得る。水溶性単位用量物品は、保管中に洗濯洗剤組成物が区画から漏出しないように構成されている。しかし、水溶性単位用量物品を水に添加すると、水溶性フィルムが溶解して、内部区画の内容物が洗浄液中に放出される。
【００４０】
区画は、洗剤組成物を保持する、単位用量物品内の密閉内部空間を意味すると理解されるべきである。製造中、第１の水溶性フィルムは、洗剤組成物が添加される開放区画を含む形状であってもよい。次に、この区画の開口部を閉じる向きで、第１のフィルム上に第２のフィルムをかぶせる。次に、封止領域に沿って第１のフィルムと第２のフィルムを１つにして封止する。
【００４１】
単位用量物品は、２つ以上の区画、更には少なくとも２つの区画、又は更には少なくとも３つの区画を含んでもよい。区画は、重ね合わせる方向に、すなわち、一方が他方の上に位置するように配置してもよい。このような方向で、単位用量物品は、３つの上部、中間及び下部フィルムを含む。あるいは、区画は、横並びの方向に、すなわち、一方が他方に隣接する方向に位置してもよい。更に、区画は、「タイヤとリム」の配置の方向としてもよく、すなわち、第１の区画が第２の区画に隣接して位置するが、第１の区画が第２の区画を少なくとも部分的に取り囲み、しかし、第２の区画を完全には囲まない。あるいは、１つの区画が別の区画内に完全に囲まれてもよい。
【００４２】
単位用量物品が少なくとも２つの区画を含む場合、区画のうちの１つが他の区画より小さくてもよい。単位用量物品が少なくとも３つの区画を含む場合、区画のうちの２つが第３の区画より小さくてもよく、好ましくは小さい方の区画が大きい方の区画の上に重ね合わせられていてよい。重ね合わせた区画は、好ましくは横並びに向く。
【００４３】
多区画の向きでは、本発明による洗濯洗剤組成物は、区画の少なくとも１つに含まれ得る。例えば組成物は１つの区画内のみに含まれてもよく、又は２つの区画内、又は更には３つの区画内に含まれていてもよい。
【００４４】
各区画は、同一の組成物を含んでも、異なる組成物を含んでもよい。異なる組成物は全て同じ形態であってもよく、又はこれらは異なる形態であってもよい。
【００４５】
水溶性単位用量物品は、少なくとも２つの内部区画を含み得、液体洗濯洗剤組成物は、区画の少なくとも１つに含まれ、好ましくは単位用量物品は少なくとも３つの区画を含み、洗剤組成物は区画の少なくとも１つに含まれる。
【００４６】
図１は、本発明による水溶性単位用量物品（１）を開示している。水溶性単位用量物品（１）は、封止領域（４）で合わせてシールされている第１の水溶性フィルム（２）及び第２の水溶性フィルム（３）を含む。洗濯洗剤組成物（５）は、水溶性可溶性単位用量物品（１）中に含まれる。
【００４７】
本発明のフィルムは、水溶性又は水分散性である。好ましくは、水溶性フィルムの厚さは、２０μｍ〜１５０μｍ、好ましくは３５μｍ〜１２５μｍ、更により好ましくは５０μｍ〜１１０μｍ、最も好ましくは約７６μｍである。
【００４８】
好ましくは、フィルムの水溶性は、少なくとも５０％、好ましくは少なくとも７５％、又は更には少なくとも９５％（最大孔径が２０μｍのガラスフィルタの使用後に、本明細書に記載の方法によって測定）である。
【００４９】
予め秤量した３Ｌのビーカーに、５グラム±０．１グラムのフィルム材料を添加し、２Ｌ±５ｍＬの蒸留水を添加する。これを、６００ｒｐｍに設定した磁気撹拌器Ｌａｂｌｉｎｅ  ｍｏｄｅｌ  Ｎｏ．１２５０又は同等物、及び５ｃｍの磁気撹拌子で、３０℃で３０分間、激しく撹拌する。その後、混合物を、上記で定義した孔径（最大２０μｍ）の折り畳んだ定性分析用焼結ガラス濾過器により濾過する。任意の従来の方法によって、回収した濾液から水を乾燥させ、残った材料の重量を求める（これが溶解画分又は分散画分である）。次に、溶解度又は分散性の百分率を計算することができる。
【００５０】
好ましいフィルム材料は、好ましくはポリマー材料である。フィルム材料は、当該技術分野において公知の、例えば、ポリマー材料の注型成形、吹込成形、押出成形又は吹込押出成形によって得ることができる。
【００５１】
パウチ材料として使用するのに好適な好ましいポリマー、コポリマー又はそれらの誘導体は、ポリビニルアルコール、ポリビニルピロリドン、ポリアルキレンオキサイド、アクリルアミド、アクリル酸、セルロース、セルロースエーテル、セルロースエステル、セルロースアミド、ポリビニルアセテート、ポリカルボン酸及び塩、ポリアミノ酸又はペプチド、ポリアミド、ポリアクリルアミド、マレイン酸／アクリル酸のコポリマー、デンプン及びゼラチンを含む多糖類、キサンタン及びカラゴムなどの天然ゴムから選択される。より好ましいポリマーは、ポリアクリレート及び水溶性アクリレートコポリマー、メチルセルロース、カルボキシメチルセルロースナトリウム、デキストリン、エチルセルロース、ヒドロキシエチルセルロース、ヒドロキシプロピルメチルセルロース、マルトデキストリン、ポリメタクリレートから選択され、最も好ましくは、ポリビニルアルコール、ポリビニルアルコールコポリマー及びヒドロキシプロピルメチルセルロース（ＨＰＭＣ）、並びにこれらの組み合わせから選択される。好ましくは、パウチ材料中のポリマー、例えば、ＰＶＡポリマーの濃度は、少なくとも６０％である。ポリマーは、任意の重量平均分子量を有してもよく、好ましくは、約１０００〜１，０００，０００、より好ましくは、約１０，０００〜３００，０００、更により好ましくは、約２０，０００〜１５０，０００である。
【００５２】
ポリマー及び／又はコポリマーの混合物、特にポリビニルアルコールポリマー及び／又はコポリマーの混合物、特に、ポリビニルアルコールホモポリマー、並びに／又は、好ましくはスルホン化及びカルボキシル化アニオン性ポリビニルアルコールコポリマー、特にカルボキシル化アニオン性ポリビニルアルコールコポリマーから選択されるアニオン性ポリビニルアルコールコポリマーの混合物もまた、パウチ材料として使用することができる。水溶性フィルムは、ポリビニルアルコールホモポリマーとカルボキシル化アニオン性ポリビニルアルコールコポリマーとのブレンドを含むことが最も好ましい。
【００５３】
好ましいフィルムは、冷水、すなわち、加熱されていない蒸留水中で良好な溶解を呈するものである。好ましくは、そのようなフィルムは、２４℃の温度にて、更により好ましくは１０℃にて良好な溶解を呈する。良好な溶解とは、上述の最大孔径が２０μｍのガラスフィルタの使用後に、本明細書に記載の方法により測定したフィルムの呈する水溶性が、少なくとも５０％、好ましくは少なくとも７５％、又は更には少なくとも９５％であることを意味する。
【００５４】
好ましいフィルムには、Ｍｏｎｏｓｏｌによって商品参照番号Ｍ８６３０、Ｍ８９００、Ｍ８７７９、Ｍ８３１０として供給されているものがある。
【００５５】
フィルムは、不透明でも、透明でも、半透明でもよい。フィルムは、プリントされた領域を含んでもよい。
【００５６】
プリント領域は、フレキソ印刷又はインクジェット印刷などの標準的な技術を使用して得ることができる。
【００５７】
フィルムは、嫌悪剤、例えば苦味剤を含んでもよい。好適な苦味剤としては、ナリンギン、サッカロースオクタアセテート、塩酸キニーネ、デナトニウムベンゾエート、又はこれらの混合物が挙げられるが、これらに限定されない。任意の好適な濃度の嫌悪剤をフィルムに使用してよい。好適な濃度としては、１〜５０００ｐｐｍ、又は更には１００〜２５００ｐｐｍ、又は更には２５０〜２０００ｒｐｍが挙げられるが、これらに限定されない。
【００５８】
柔軟化活性物質は、第２の布地処理液を生成するために水中で３００〜３０００倍に希釈される布地柔軟化組成物中に存在し得る。布地柔軟化組成物は、他の一般的な布地柔軟化組成物成分を含んでもよい。
【００５９】
柔軟化組成物は、任意の好適な形態であってよい。柔軟化組成物は、粉末、液体、又はこれらの混合物であってもよい。
【００６０】
柔軟化組成物は、固体粒子を含んでもよく、又は単一の均質な固体であってもよい。好ましくは、固形柔軟化組成物は、粒子を含む。これは、固形柔軟化組成物が、この固体が単一の均質な固体であることとは対称的に、個々の固体粒子を含むことを意味する。粒子は、自由流動性であってもよく、又は圧縮されていてもよく、好ましくは自由流動性である。
【００６１】
「液体洗濯柔軟化組成物」という用語は、布地を濡らし処理することが可能な液体を含む任意の洗濯柔軟化組成物を指し、液体、ゲル、ペースト、分散液などが挙げられるが、これらに限定されない。液体組成物は、固体又は気体を適宜分割された形態で含み得るが、液体組成物としては、粉末、タブレット又は顆粒などの、全体的に流動性ではない形態は除外する。
【００６２】
アニオン性非石鹸界面活性剤
好ましくは、非石鹸アニオン性界面活性剤は、直鎖アルキルベンゼンスルホネート、アルコキシル化アルキルサルフェート、又はこれらの混合物、より好ましくはこれらの混合物を含み、直鎖アルキルベンゼンスルホネートとアルコキシル化アルキルサルフェートの重量比は、好ましくは直鎖アルキルベンゼンスルホネートとエトキシル化アルキルサルフェートの重量比は、１：２〜２０：１、好ましくは１．１：１〜１５：１、より好ましくは１．２：１〜１０：１、更により好ましくは１．３：１〜５：１、最も好ましくは１．４：１〜３：１である。
【００６３】
直鎖アルキルベンゼンスルホネートとエトキシルル化アルキルサルフェートの重量比は、１：１０〜２０：１、好ましくは１：７〜３：１、より好ましくは１：５〜１．５：１であり得る。
【００６４】
次に、洗濯洗剤組成物中に配合される場合、洗濯洗剤組成物は、５０％以下、好ましくは５％〜５０％、より好ましくは７．５％〜４５％、更により好ましくは１０％〜４０％を含み得る。洗濯洗剤組成物は、洗濯洗剤組成物の１２重量％〜３７重量％、好ましくは１５重量％〜３０重量％の非石鹸アニオン性界面活性剤を含み得る。
【００６５】
カチオン性多糖ポリマー
好ましくは、カチオン性多糖ポリマーは、カチオン変性ヒドロキシエチルセルロース、カチオン変性ヒドロキシプロピルセルロース、カチオン及び疎水変性ヒドロキシエチルセルロース、カチオン及び疎水変性ヒドロキシプロピルセルロース、又はこれらの混合物、より好ましくはカチオン変性ヒドロキシエチルセルロース、カチオン及び疎水変性ヒドロキシエチルセルロース、又はこれらの混合物から選択される。
【００６６】
好ましくは、カチオン性多糖は粒子形態であり、好ましくは、粒子状カチオン性多糖は、平均Ｄ９０径が３００μｍ未満、より好ましくは２００μｍ未満、更により好ましくは１５０μｍ未満である。理論に拘束されることを望むものではないが、水溶性単位用量物品中に配合される場合、粒子形態のカチオン性多糖の形成は、カチオン性多糖と水溶性フィルムとの相互作用を最小化するといういっそうの利点を有する。このような相互作用により、フィルム及びカチオン性多糖の両方の溶解を遅らせることができる。
【００６７】
洗濯洗剤組成物中に配合される場合、洗濯洗剤組成物は、洗濯洗剤組成物の０．０５重量％〜１０％、より好ましくは０．１重量％〜５重量％、より好ましくは０．２重量％〜３重量％、最も好ましくは０．２５重量％〜１重量％のカチオン性多糖ポリマーを含み得る。
【００６８】
洗濯洗剤組成物は、非イオン性界面活性剤を含んでもよく、好ましくは非イオン性界面活性剤は、脂肪アルコールアルコキシレート、オキソ合成脂肪アルコールアルコキシレート、ゲルベ（Guerbet）アルコールアルコキシレート、アルキルフェノールアルコールアルコキシレート、又はこれらの混合物から選択される。好ましくは、液体洗濯洗剤組成物は、液体洗濯洗剤組成物の１重量％〜２５重量％、好ましくは１．５重量％〜２０重量％、最も好ましくは２重量％〜１５重量％の非イオン性界面活性剤を含む。
【００６９】
非石鹸アニオン性界面活性剤と非イオン性界面活性剤の重量比は、１：１〜２０：１、好ましくは１．３：１〜１５：１、より好ましくは１．５：１〜１０：１であり得る。
【００７０】
洗濯洗剤組成物は、液体洗剤組成物の１重量％〜２５重量％、好ましくは１．５重量％〜２０重量％、より好ましくは１重量％〜２５重量％、好ましくは１．５重量％〜２０重量％、最も好ましくは２重量％〜１５重量％の石鹸を含み得る。理論に拘束されることを望むものではないが、脂肪酸及び中和された脂肪酸石鹸のレベルは注意深く調節することが好ましい。水の硬度を下げる（neutralize）ためには、いくつかの脂肪酸又は中和された脂肪酸石鹸が好ましいが、脂肪酸、脂肪酸石鹸、又はこれらの混合物が多すぎると、布地上に塩形成を生じさせ、すすぎ工程で使用される前にカチオン性多糖を不活性化する可能性がある。
【００７１】
洗濯洗剤組成物は、洗浄又はケアポリマーを更に含んでもよく、好ましくは洗浄又はケアポリマーは、エトキシル化ポリエチレンイミン、アルコキシル化ポリアルキルフェノール、両親媒性グラフトコポリマー、ポリエステルテレフタレート、カルボキシメチルセルロース、又はこれらの混合物から選択される。
【００７２】
洗濯洗剤は、更なる補助成分を含んでもよい。補助的な洗濯洗剤成分は、漂白剤、漂白触媒、染料、色相剤、界面活性剤、溶媒、移染防止剤、キレート剤、酵素、香料、カプセル化香料、香料送達剤、抑泡剤、増白剤、ポリカルボキシレート、構造剤、酸化防止剤、付着助剤、及びこれらの混合物から選択され得る。
【００７３】
布地柔軟化活性物質
好ましくは、上記柔軟化活性物質は、第四級アンモニウム化合物、アミン、脂肪酸エステル、ショ糖エステル、シリコーン、分散性ポリオレフィン、多糖、脂肪酸、柔軟化油、ポリマーラテックス、柔軟化クレイ、及びこれらの組み合わせからなる群から選択され、好ましくは布地柔軟化活性物質は、第四級アンモニウム化合物、及びこれらの混合物、より好ましくはエステルクァット（quat）からなる群から選択され、最も好ましくは布地柔軟化活性物質は、ジエステルクァット、より好ましくはジエチルエステルジメチルアンモニウムクロリド（ＤＥＥＤＭＡＣ）からなる群から選択される。
【００７４】
布地柔軟化組成物中に配合される場合、好ましくは柔軟化組成物は、柔軟化組成物の２重量％〜２５重量％、好ましくは４重量％〜２０重量％、より好ましくは５重量％〜１５重量％、最も好ましくは５重量％〜１３重量％の柔軟化活性物質を含む。
【００７５】
洗濯柔軟化組成物は、好ましくは、処理された布地に香りを送達することを目的として、香料又は香料カプセル技術を更に含む。洗濯柔軟化組成物は、当業者が典型的に認識するような、更なる成分を含んでもよい。
【００７６】
第１の布地処理液におけるカチオン性多糖ポリマーとアニオン性非石鹸界面活性剤との組み合わせの更なる使用は、第２の後続の布地処理液中での柔軟剤活性物質の使用をより少なくすることを可能にするためのものである。
【００７７】
第１の布地処理液におけるカチオン性多糖ポリマーとアニオン性非石鹸界面活性剤との組み合わせを使用して、別の後続の第２の布地処理液中で活性物質が布地と接触する際の、香料材料又は香料カプセルなどの他の活性物質の上記布地への付着を向上させることができる。
【００７８】
作製方法
当業者であれば、当技術分野において既知の方法を使用して、本発明の水溶性単位用量物品、洗濯洗剤組成物、布地柔軟化組成物、柔軟化活性物質、アニオン性非石鹸界面活性剤、及びカチオン性多糖ポリマーを作製する方法を認識するであろう。
【００７９】
本明細書に開示した寸法及び値は、記載された正確な数値に厳密に限定されるものと理解されるべきではない。むしろ、特に断らない限り、そのような寸法のそれぞれは、記載された値及びその値の周辺の機能的に同等の範囲の両方を意味するものとする。例えば、「４０ｍｍ」として開示される寸法は、「約４０ｍｍ」を意味するものとする。
【実施例】
【００８０】
主洗浄において本発明によるカチオン性ヒドロキシエチルセルロース（ＣａｔＨＥＣ）が存在しないことに対して存在することの影響を、後続のすすぎサイクル中に添加されたジエチルエステルジメチルアンモニウム−クロリド（ＤＥＥＤＭＡＣ）ジエステルクァット柔軟化活性物質の付着効率、したがって柔軟性効果に関して評価した。
【００８１】
【表１】
2019035074.tif 000003
＊ＥＯ鎖１つ当たり２０の平均エトキシル化度、及び約６００のＭＷを有するポリエチレンイミン骨格を有するエトキシル化ポリエチレンイミン
＊＊ポリエチレングリコール骨格（Ｐｌｕｒｉｏｌ  Ｅ６０００）及び疎水性酢酸ビニル側鎖を有し、４０重量％のポリエチレングリコール骨格ポリマーのポリマー系及び６０重量％のグラフト化された酢酸ビニル側鎖のポリマー系を含む、ポリエチレングリコールグラフトポリマー。
【００８２】
【表２】
2019035074.tif 000004
【００８３】
試験方法：
洗浄プロセス：
１０枚の１００％綿テリータオル（サイズ：３０ｃｍ×３０ｃｍ）を、１０枚の５０％綿／５０％ポリエステルニット布（サイズ：３０ｃｍ×３０ｃｍ−Ｋ７４２２）及び８０％綿／２０％ポリエステルバラスト負荷（洗浄における布地の総重量：２．７ｋｇ）と一緒に、２５．７ｇの上記表にまとめた配合物を用いて、縦型Ｋｅｎｍｏｒｅ  ６００Ｌ洗濯機におい強洗浄（Heavy Duty）サイクル（３２℃、洗浄時間：１２分、６４リットルの０．１ｇ／Ｌ（８ｇｐｇ）水）で洗浄した。その結果として、布地を、２５．５ｇの上記表にまとめた布地増強剤組成物の存在下（比較例Ｃ−実施例Ａ）／非存在下（比較例Ａ及びＢ）で３分間すすぎ（２０℃、すすぎ時間：３分、６４リットルの０．１ｇ／Ｌ（８ｇｐｇ）水）、回転ドラム式乾燥機で乾燥させた。
【００８４】
布地同士の摩擦測定
１００％綿テリータオルトレーサーを、一定の温度（２３℃）及び湿度（５５％の相対湿度）の室内で、少なくとも５時間平衡化した。２．５ｋｇロードセル及びクロスヘッド高さ２５ｍｍでＴｈｗｉｎｇ−Ａｌｂｅｒｔ  Ｆｒｉｃｔｉｏｎ  Ｐｅｅｌ  Ｔｅｓｔｅｒを用いて、同じ室内で、布地同士の動摩擦係数を測定した。１枚目の布地を機器の試料台に置き、２枚目の同じ布地（１１．４３ｃｍ×６．３５ｃｍ）を、ロードセルに取り付けられた２００ｇのクランプ機構付きスレッドに取り付け、１枚目の布地の表面上に配置した。Ｆｒｉｃｔｉｏｎ  Ｐｅｅｌ  Ｔｅｓｔｅｒは、２枚目の布地（クランプ機構付きスレッドに取り付けた）を、１枚目の布地（試料台の上）の上を、２０ｃｍ／ｍｉｎで２０秒間移動させるようにプログラムする。互いの表面上を布地が移動するとき、ソフトウェアは、クランプ機構付きスレッドに取り付けた布地が受ける摩擦力を記録する。テリータオルトレーサーは、布目に逆らって測定されるように機器に配置する。
【００８５】
測定の直前の１０秒間（動的区間（kinetic section））の平均力を、測定中に加えられる垂直力で割ることによって、動摩擦係数（「ＫＣｏＦ」と称する）を導き出す。この動摩擦係数を柔軟性の尺度として用いる。低い動摩擦係数は、摩擦が少なく、そのため柔軟性がより優れていることを意味する。１０枚のテリータオルの平均摩擦結果を、下記に報告している。
【００８６】
ジエステルクァット測定：
洗浄試験後に布地から抽出したＤＥＥＤＭＡＣジエステルクァット材料の濃度を、多重反応モニタリング（ＭＲＭ）を用いて、親水性相互作用液体クロマトグラフィー／タンデム質量分析（ＨＩＬＩＣ／ＭＳ／ＭＳ）分析によって分析した。
【００８７】
ＤＥＥＤＭＡＣジエステルクァット原材料を使用して、検量線を作成するための実用標準物質を調製した。この曲線は、１３．２〜１６４４ｎｇ／ｍＬの実用標準物質濃度範囲を含み、これは布地に付着した活性ジエステルクァットでは１２．８〜１５９６μｇ／ｇ（ｐｐｍ）に相当した。重水素を含む標識された内部標準物質を使用して、マトリックス効果を補正した。
【００８８】
付着したＤＥＥＤＭＡＣジエステルクァットの量は、抽出されたＤＥＥＤＭＡＣジエステルクァット材料の測定値と作成された検量線を相互比較することによって定義した。１０枚の綿テリータオルの平均結果を報告した。
【００８９】
【表３】
2019035074.tif 000005
【００９０】
試験結果：
下記表は、布地上に付着したジエステルクァット（ＤＥＥＤＭＡＣ）柔軟化活性物質の実際の量、及び結果として得られる、布地で測定された摩擦係数を示す。本発明によるカチオン性ヒドロキシエチルセルロースを主洗浄製品に配合した場合、すすぎ中のジエステルクァット柔軟化活性物質（ＤＥＥＤＭＡＣ）の付着が強化され、したがって、柔軟化性能が向上する（摩擦係数ＫＣｏＦの減少）ことが、明らかに分かる。
【００９１】
【表４】
2019035074.tif 000006
【図１】
2019035074.tif 000007